【手続補正書】
【提出日】平成20年9月29日(2008.9.29)
【手続補正１】
【補正対象書類名】特許請求の範囲
【補正対象項目名】全文
【補正方法】変更
【補正の内容】
【特許請求の範囲】
【請求項１】
映像データを映像のフレーム単位で外部装置と半二重通信するデータ通信手段と、
前記データ通信手段による映像フレームデータの伝送方向を切り替える切替手段と、
前記データ通信手段で映像フレームデータを送信中に、伝送方向の切り替えを行う場合、伝送方向の切り替えの開始を指示する開始指示を前記送信中の映像フレームデータに含めて送信するように前記データ通信手段を制御すると共に、前記開始指示が含まれた映像フレームデータの送信完了に応じて、伝送方向を切り替えるように前記切替手段を制御する第１制御手段と、
前記データ通信手段で受信中の映像フレームデータに前記開始指示が含まれていた場合、前記開始指示が含まれた映像フレームデータの受信完了に応じて、伝送方向を切り替えるように前記切替手段を制御する第２制御手段と、
を備えることを特徴とする通信装置。
【請求項２】
前記データ通信手段による通信とは非同期に前記外部装置と制御信号を通信する制御信号通信手段を更に備え、
前記第１制御手段による制御は、前記制御信号通信手段で前記伝送方向を切り替える切替要求を受信した場合に実行される
ことを特徴とする請求項１に記載の通信装置。
【請求項３】
前記伝送方向の切り替えを指示する切替指示を前記外部装置以外から受信する受信手段を更に備え、
前記第１制御手段による制御は、前記受信手段で前記切替指示を受信した場合にも実行される
ことを特徴とする請求項２に記載の通信装置。
【請求項４】
前記データ通信手段で映像フレームデータを受信中に前記切替指示を受信した場合、前記切替要求を送信するように前記制御信号通信手段を制御すると共に、前記切替要求に対する応答としての前記開始指示が含まれた映像フレームデータの受信完了に応じて、前記伝送方向を切り替えるように前記切替手段を制御する第３制御手段
を更に備えることを特徴とする請求項３に記載の通信装置。
【請求項５】
前記データ通信手段で映像フレームデータを送信中に前記切替指示を受信した場合、伝送方向を切替可能か否かを確認する確認要求を前記送信中の映像フレームデータに含めて送信するように前記データ通信手段を制御すると共に、前記確認要求に対する応答として、前記制御信号通信手段で伝送方向を切替可能であることを示す応答指示を受信した場合に、前記第１制御手段による制御を実行させる第４制御手段
を更に備えることを特徴とする請求項４に記載の通信装置。
【請求項６】
前記第３制御手段の制御による前記切替要求の送信後、前記開始指示が含まれた映像フレームデータが予め定められた第１の時間内に受信されなかった場合、又は、前記第４制御手段の制御による前記確認要求の送信後、前記応答指示が予め定められた第２の時間内に受信されなかった場合に、前記外部装置が伝送方向を切替不可能であることをユーザに通知する通知手段を更に備えることを特徴とする請求項５に記載の通信装置。
【請求項７】
前記映像フレームデータは、ブランキング期間を有し、
前記切替要求及び前記開始指示のうちの少なくとも一方は、前記ブランキング期間に含まれる
ことを特徴とする請求項１乃至６のいずれか１項に記載の通信装置。
【請求項８】
映像データを映像のフレーム単位で外部装置と半二重通信するデータ通信手段と、
前記データ通信手段による通信とは非同期に前記外部装置と制御信号を通信する制御信号通信手段と、
前記データ通信手段による映像フレームデータの伝送方向を切り替える切替手段と、
前記データ通信手段で映像フレームデータを送信中に、伝送方向の切り替えを行う場合、伝送方向の切り替えの開始を指示する開始指示を送信するように前記制御信号通信手段を制御すると共に、前記開始指示が前記外部装置に到達して解釈されるまでの時間に送信可能な映像フレームデータの数を算出し、前記算出された数以上の映像フレームデータの送信完了に応じて、伝送方向を切り替えるように前記切替手段を制御する第１制御手段と、
前記データ通信手段で映像フレームデータを受信中に、前記制御信号通信手段で前記開始指示を受信した場合、前記データ通信手段による映像フレームデータの受信終了に応じて、伝送方向を切り替えるように前記切替手段を制御する第２制御手段と、
を備えることを特徴とする通信装置。
【請求項９】
前記第１制御手段による制御は、前記制御信号通信手段で伝送方向を切り替える切替要求を受信した場合に実行される
ことを特徴とする請求項８に記載の通信装置。
【請求項１０】
伝送方向の切り替えを指示する切替指示を前記外部装置以外から受信する受信手段を更に備え、
前記第１制御手段による制御は、前記受信手段で前記切替指示を受信した場合にも実行される
ことを特徴とする請求項９に記載の通信装置。
【請求項１１】
前記データ通信手段で映像フレームデータを受信中に前記切替指示を受信した場合、前記切替要求を送信するように前記制御信号通信手段を制御すると共に、前記データ通信手段による映像フレームデータの受信終了に応じて、伝送方向を切り替えるように前記切替手段を制御する第３制御手段
を更に備えることを特徴とする請求項１０に記載の通信装置。
【請求項１２】
前記データ通信手段で映像フレームデータを送信中に前記切替指示を受信した場合、前記第１制御手段の制御により送信された前記開始指示に対する応答として、前記制御信号通信手段で伝送方向を切替可能であることを示す応答指示を受信後、予め定められた数の映像フレームデータの送信完了に応じて、前記切替手段により伝送方向を切り替えるように前記第１制御手段を制御する第４制御手段
を更に備えることを特徴とする請求項１１に記載の通信装置。
【請求項１３】
前記第３制御手段の制御による前記切替要求の送信後、前記開始指示が予め定められた第１の時間内に受信されなかった場合、又は、前記第１制御手段の制御による前記開始指示の送信後、前記応答指示が予め定められた第２の時間内に受信されなかった場合に、前記外部装置が伝送方向を切替不可能であることをユーザに通知する通知手段を更に備えることを特徴とする請求項１２に記載の通信装置。
【請求項１４】
映像データを映像のフレーム単位で外部装置と半二重通信するデータ通信手段と、前記データ通信手段による映像フレームデータの伝送方向を切り替える切替手段と、を備える通信装置の制御方法であって、
前記データ通信手段で映像フレームデータを送信中に、伝送方向の切り替えを行う場合、伝送方向の切り替えの開始を指示する開始指示を前記送信中の映像フレームデータに含めて送信するように前記データ通信手段を制御すると共に、前記開始指示が含まれた映像フレームデータの送信完了に応じて、伝送方向を切り替えるように前記切替手段を制御する第１制御工程と、
前記データ通信手段で受信中の映像フレームデータに前記開始指示が含まれていた場合、前記開始指示が含まれた映像フレームデータの受信完了に応じて、伝送方向を切り替えるように前記切替手段を制御する第２制御工程と、
を備えることを特徴とする制御方法。
【請求項１５】
映像データを映像のフレーム単位で外部装置と半二重通信するデータ通信手段と、前記データ通信手段による通信とは非同期に前記外部装置と制御信号を通信する制御信号通信手段と、前記データ通信手段による映像フレームデータの伝送方向を切り替える切替手段と、を備える通信装置の制御方法であって、
前記データ通信手段で映像フレームデータを送信中に、伝送方向の切り替えを行う場合、伝送方向の切り替えの開始を指示する開始指示を送信するように前記制御信号通信手段を制御すると共に、前記開始指示が前記外部装置に到達して解釈されるまでの時間に送信可能な映像フレームデータの数を算出し、前記算出された数以上の映像フレームデータの送信完了に応じて、伝送方向を切り替えるように前記切替手段を制御する第１制御工程と、
前記データ通信手段で映像フレームデータを受信中に、前記制御信号通信手段で前記開始指示を受信した場合、前記データ通信手段による映像フレームデータの受信終了に応じて、伝送方向を切り替えるように前記切替手段を制御する第２制御工程と、
を備えることを特徴とする制御方法。
【手続補正２】
【補正対象書類名】明細書
【補正対象項目名】００１０
【補正方法】変更
【補正の内容】
【００１０】
上記課題を解決するために、第１の本発明によれば、映像データを映像のフレーム単位で外部装置と半二重通信するデータ通信手段と、前記データ通信手段による映像フレームデータの伝送方向を切り替える切替手段と、前記データ通信手段で映像フレームデータを送信中に、伝送方向の切り替えを行う場合、伝送方向の切り替えの開始を指示する開始指示を前記送信中の映像フレームデータに含めて送信するように前記データ通信手段を制御すると共に、前記開始指示が含まれた映像フレームデータの送信完了に応じて、伝送方向を切り替えるように前記切替手段を制御する第１制御手段と、前記データ通信手段で受信中の映像フレームデータに前記開始指示が含まれていた場合、前記開始指示が含まれた映像フレームデータの受信完了に応じて、伝送方向を切り替えるように前記切替手段を制御する第２制御手段と、を備えることを特徴とする通信装置が提供される。
【手続補正３】
【補正対象書類名】明細書
【補正対象項目名】００１１
【補正方法】変更
【補正の内容】
【００１１】
また、第２の本発明によれば、映像データを映像のフレーム単位で外部装置と半二重通信するデータ通信手段と、前記データ通信手段による通信とは非同期に前記外部装置と制御信号を通信する制御信号通信手段と、前記データ通信手段による映像フレームデータの伝送方向を切り替える切替手段と、前記データ通信手段で映像フレームデータを送信中に、伝送方向の切り替えを行う場合、伝送方向の切り替えの開始を指示する開始指示を送信するように前記制御信号通信手段を制御すると共に、前記開始指示が前記外部装置に到達して解釈されるまでの時間に送信可能な映像フレームデータの数を算出し、前記算出された数以上の映像フレームデータの送信完了に応じて、伝送方向を切り替えるように前記切替手段を制御する第１制御手段と、前記データ通信手段で映像フレームデータを受信中に、前記制御信号通信手段で前記開始指示を受信した場合、前記データ通信手段による映像フレームデータの受信終了に応じて、伝送方向を切り替えるように前記切替手段を制御する第２制御手段と、を備えることを特徴とする通信装置が提供される。
【手続補正４】
【補正対象書類名】明細書
【補正対象項目名】００１２
【補正方法】変更
【補正の内容】
【００１２】
また、第３の本発明によれば、映像データを映像のフレーム単位で外部装置と半二重通信するデータ通信手段と、前記データ通信手段による映像フレームデータの伝送方向を切り替える切替手段と、を備える通信装置の制御方法であって、前記データ通信手段で映像フレームデータを送信中に、伝送方向の切り替えを行う場合、伝送方向の切り替えの開始を指示する開始指示を前記送信中の映像フレームデータに含めて送信するように前記データ通信手段を制御すると共に、前記開始指示が含まれた映像フレームデータの送信完了に応じて、伝送方向を切り替えるように前記切替手段を制御する第１制御工程と、前記データ通信手段で受信中の映像フレームデータに前記開始指示が含まれていた場合、前記開始指示が含まれた映像フレームデータの受信完了に応じて、伝送方向を切り替えるように前記切替手段を制御する第２制御工程と、を備えることを特徴とする制御方法が提供される。
【手続補正５】
【補正対象書類名】明細書
【補正対象項目名】００１３
【補正方法】変更
【補正の内容】
【００１３】
また、第４の本発明によれば、映像データを映像のフレーム単位で外部装置と半二重通信するデータ通信手段と、前記データ通信手段による通信とは非同期に前記外部装置と制御信号を通信する制御信号通信手段と、前記データ通信手段による映像フレームデータの伝送方向を切り替える切替手段と、を備える通信装置の制御方法であって、前記データ通信手段で映像フレームデータを送信中に、伝送方向の切り替えを行う場合、伝送方向の切り替えの開始を指示する開始指示を送信するように前記制御信号通信手段を制御すると共に、前記開始指示が前記外部装置に到達して解釈されるまでの時間に送信可能な映像フレームデータの数を算出し、前記算出された数以上の映像フレームデータの送信完了に応じて、伝送方向を切り替えるように前記切替手段を制御する第１制御工程と、前記データ通信手段で映像フレームデータを受信中に、前記制御信号通信手段で前記開始指示を受信した場合、前記データ通信手段による映像フレームデータの受信終了に応じて、伝送方向を切り替えるように前記切替手段を制御する第２制御工程と、を備えることを特徴とする制御方法が提供される。